(57)【要約】【課題】  電波受信装置において、受信信号に含まれるノイズ信号を除去することであって、更に、このノイズ信号がアンテナに蓄積されたエネルギーによって後々まで継続される影響を除去すること。【解決手段】  受信アンテナ６１１ａとＲＦ増幅回路６１３ａとの間に設けたスイッチ回路６１２ａを、ＳＷ制御回路６２４ａが、タイミング生成回路６２３ａで生成されるパルス幅Ｗ及びパルス間隔Ｔがともに一定のノイズ除去制御信号Ｇ１に従ってＯＮ／ＯＦＦする。スイッチ回路６１２ａがＯＮすると、受信アンテナ６１１ａが短絡して蓄積エネルギーが放出される。ノイズ除去制御信号Ｇ１のパルス幅Ｗは、受信アンテナ６１１ａでの受信信号の搬送波の半周期以上の時間であり、且つ変調波の周期よりかなり短い時間である。【選択図】図２
2005223478.tif 000002
【特許請求の範囲】
【請求項１】
アンテナで受信した受信信号を検波して検波信号を出力する電波受信装置において、
前記アンテナを所定時間の間隔で周期的に短絡させて受信信号による蓄積エネルギーを放出させるアンテナ短絡制御手段を備えることを特徴とする電波受信装置。
【請求項２】
前記受信信号を増幅する増幅手段と、
前記検波信号の信号レベルに応じて前記増幅手段による増幅度を調整するための増幅度調整信号を生成する増幅度調整手段と、
を更に備え、
前記アンテナ短絡制御手段は、前記増幅度調整手段により生成された増幅度調整信号の信号レベルに基づいて前記アンテナの短絡周期を可変する短絡周期可変手段を有することを特徴とする請求項１に記載の電波受信装置。
【請求項３】
アンテナで受信した受信信号を検波して検波信号を出力する電波受信装置において、
前記検波信号の信号波形に基づいて前記受信信号へのノイズ信号の混入を判定するノイズ混入判定手段と、
このノイズ混入判定手段によりノイズが混入されていると判定された場合に前記アンテナを所定時間の間短絡させて受信信号による蓄積エネルギーを放出させるアンテナ短絡制御手段を更に備えることを特徴とする電波受信装置。
【請求項４】
前記混入判定手段は、前記受信信号へのノイズ信号の混入頻度を判定する混入頻度判定手段を更に有し、
前記アンテナ短絡制御手段は、前記混入頻度判定手段により判定された混入頻度に応じた周期で前記アンテナを短絡させる手段であることを特徴とする請求項３に記載の電波受信装置。
【請求項５】
前記アンテナ短絡制御手段は、前記受信信号の搬送波の半周期以上の時間であり、且つ該受信信号の変調波の周期と比較して微小な時間の間、前記アンテナを短絡させる手段であることを特徴とする請求項１又は３に記載の電波受信装置。
【請求項６】
請求項１又は３に記載の電波受信装置と、
この電波受信装置から出力される検波信号に基づいて標準タイムコードを生成するタイムコード生成手段と、
現在時刻データを計時する計時手段と、
前記タイムコード生成手段により生成された標準タイムコードに基づいて、前記計時手により計時された現在時刻データを修正する修正手段と、
を備えることを特徴とする電波時計。
【請求項７】
請求項１又は３に記載の電波受信装置と、
この電波受信装置から出力される検波信号に基づいて標準タイムコードを生成するタイムコード生成手段と、
このタイムコード生成手段により生成された標準タイムコードを送信する送信手段と、
を備えることを特徴とする中継器。
【発明の詳細な説明】
【技術分野】
【０００１】
本発明は、アンテナで受信した受信信号を検波して検波信号を出力する電波受信装置、この電波受信装置を備える電波時計及び中継器に関する。
【背景技術】
【０００２】
現在、各国（例えば、ドイツ、イギリス、スイス、日本等）において、時刻データ即ちタイムコード入りの標準電波が送出されている。我が国（日本）では、２つの送信所（福島県及び佐賀県）より、図１０に示すようなフォーマットのタイムコードで振幅変調した４０ｋＨｚ及び６０ｋＨｚの長波標準電波が送出されている。図１０によれば、タイムコードは、正確な時刻の分の桁が更新される毎即ち１分毎に、１周期６０秒のフレームで送出されている。
【０００３】
そして、このような標準電波を受信し、これにより現在時刻データを修正する、いわゆる電波時計が知られている。電波時計で実際に受信される信号は、送信所から送出される標準電波に、外部機器から発生される電波や時計内部で発生する電波等のノイズ信号が混入（重畳）された信号となる。ノイズ信号が混入されると、標準電波に含まれるタイムコードの再生が困難となって受信感度が劣化するため、受信信号に混入されたノイズ信号を除去する様々な方法が提案されている。
【０００４】
例えば、特許文献１には、パルス性のノイズを除去するノイズ除去回路が開示されている。かかるノイズ除去回路では、スイッチの開閉（ＯＮ／ＯＦＦ）によって入力信号のノイズを除去している。具体的には、ハイパスフィルタ（High Pass Filter；ＨＰＦ）を通過させることで受信信号からノイズ部分の信号を取り出し、ある特定の大きさ以上のノイズを検出すると、所定時間の間スイッチをＯＦＦさせて受信信号の出力を遮断する。尚、受信信号は、ノイズ部分の信号の検出に要した時間だけ遅延されてスイッチを通過する。また、スイッチをＯＦＦした直前での入力信号を保持しておき、スイッチがＯＮされている間は、この保持した信号（即ち、スイッチがＯＦＦされた直前の信号）を出力し続ける。
【特許文献１】特開２００３−２８３３４７号公報
【発明の開示】
【発明が解決しようとする課題】
【０００５】
また、標準電波を受信する電波時計のみならず、一般的に、電波を受信する電波受信装置では、アンテナに蓄積されたノイズ信号のエネルギーによる悪影響を受ける。例えば図１１に示すように、パルス形状のノイズ信号Ｆ１がアンテナＡＮＴで受信された場合、アンテナＡＮＴでは、このノイズ信号Ｆ１のエネルギーの一部が蓄積され、これによって、アンテナＡＮＴの同調周波数と等しく、且つ、ノイズであるパルスの発生時間と比較してかなり長い時間をかけて減衰する信号（減衰信号）Ｆ２が発生する。また、ノイズが大きい、即ち蓄積エネルギーが大きい程、この減衰信号Ｆ２が減衰に要する時間が長くなる。
【０００６】
従って、ノイズ信号が混入された信号を受信した場合、単なるノイズ信号の混入による波形劣化に加えて、更に、アンテナに蓄積されたノイズ信号のエネルギー（蓄積エネルギー）に起因する減衰信号が合成された信号、即ちノイズ信号の影響が後々まで継続された信号がアンテナから出力されることになる。
【０００７】
上記事情に鑑み、本発明が解決しようとする課題は、電波受信装置において、受信信号に含まれるノイズ信号を除去することであって、更に、このノイズ信号がアンテナに蓄積されたエネルギーによって後々まで継続される影響を除去することである。
【課題を解決するための手段】
【０００８】
上記課題を解決するために、請求項１に記載の発明は、
アンテナで受信した受信信号を検波して検波信号を出力する電波受信装置（例えば、図１の電波受信装置６１；図２の電波受信装置６１Ａ、図５の電波受信装置６１Ｂ、図７の電波受信装置６１Ｃ）において、
前記アンテナを所定時間の間隔で周期的に短絡させて受信信号による蓄積エネルギーを放出させるアンテナ短絡制御手段（例えば、図２のスイッチ回路６１２ａ、タイミング生成回路６２３ａ及びＳＷ制御回路６２４ａ；図５のスイッチ回路６１２ｂ、タイミング生成回路６２３ｂ及びＳＷ制御回路６２４ｂ；図７のスイッチ回路６１２ｃ、タイミング生成回路６２３ｂ及びＳＷ制御回路６２４ｃ）を備えることを特徴としている。
【０００９】
この請求項１に記載の発明によれば、アンテナを所定時間の間隔で周期的に短絡させて受信信号による蓄積エネルギーを放出させる電波受信装置を実現できる。従って、ノイズ信号が混入された信号を受信した場合であっても、アンテナを周期的に短絡させることでノイズ信号による蓄積エネルギーが周期的に放出されるので、受信信号からノイズ信号を除去するとともに、このノイズ信号の蓄積エネルギーによって後々まで継続される影響の除去が可能となる。
【００１０】
また、請求項２に記載の発明は、請求項１に記載の電波受信装置において、
前記受信信号を増幅する増幅手段（例えば、図５のＲＦ増幅回路６１３ｂ、ＩＦ増幅回路６１８ｂ）と、
前記検波信号の信号レベルに応じて前記増幅手段による増幅度を調整するための増幅度調整信号を生成する増幅度調整手段（例えば、図５のＡＧＣ回路６２２ｂ）と、
前記アンテナ短絡制御手段は、前記増幅度調整手段により生成された増幅度調整信号の信号レベルに基づいて前記アンテナの短絡周期を可変する短絡周期可変手段（例えば、図５のタイミング生成回路６２３ｂ）を有することを特徴としている。
【００１１】
この請求項２に記載の発明によれば、請求項１に記載の発明と同様の効果を奏するとともに、受信信号の増幅度を調整するための増幅度調整信号の信号レベルに基づいてアンテナの短絡周期を可変することができる。具体的には、増幅度調整信号は検波信号の信号レベルに基づいて生成されるので、例えば検波信号の信号レベルが大きい程混入されるノイズ信号が大きいとみなしてアンテナの短絡周期を短くし、信号レベルが小さい程短絡周期を短くするといったことが可能である。
【００１２】
また、請求項３に記載の発明は、
アンテナで受信した受信信号を検波して検波信号を出力する電波受信装置（例えば、図１の電波受信装置６１）において、
前記検波信号の信号波形に基づいて前記受信信号へのノイズ信号の混入を判定するノイズ混入判定手段（例えば、図７のノイズ検出回路６２５ｃ）と、
このノイズ混入判定手段によりノイズが混入されていると判定された場合に前記アンテナを所定時間の間短絡させて受信信号による蓄積エネルギーを放出させるアンテナ短絡制御手段（例えば、図７のスイッチ回路６１２ｃ、タイミング生成回路６２３ｃ及びＳＷ制御回路６２４ｃ）を更に備えることを特徴としている。
【００１３】
この請求項３に記載の発明によれば、検波信号の信号波形に基づいて受信信号へのノイズ信号の混入を判定し、ノイズが混入されていると判定した場合、アンテナを所定時間の間短絡させて受信信号による蓄積エネルギーを放出させる電波受信装置を実現できる。従って、ノイズ信号が混入された信号を受信した場合であっても、アンテナを短絡させることでノイズ信号による蓄積エネルギーが放出されるので、受信信号からノイズ信号を除去するとともに、このノイズ信号の蓄積エネルギーによって後々まで継続される影響の除去が可能となる。
【００１４】
また、請求項４に記載の発明は、請求項３に記載の電波受信装置において、
前記混入判定手段は、前記受信信号へのノイズ信号の混入頻度を判定する混入頻度判定手段（例えば、図７のノイズ検出回路６２５ｃ）を更に有し、
前記アンテナ短絡制御手段は、前記混入頻度判定手段により判定された混入頻度に応じた周期で前記アンテナを短絡させる手段であることを特徴としている。
【００１５】
この請求項４に記載の発明によれば、請求項３に記載の発明と同様の効果を奏するとともに、受信信号へのノイズの混入頻度を判定し、この判定した混入頻度に応じた周期でアンテナを短絡させることができる。具体的には、例えばノイズ信号の混入頻度が大きい程、短い周期でアンテナを短絡させ、混入頻度が小さい程、長い周期で短絡させるといったことが可能である。
【００１６】
また、請求項５に記載の発明は、請求項１又は３に記載の電波受信装置において、
前記アンテナ短絡制御手段は、前記受信信号の搬送波の半周期以上の時間であり、且つ該受信信号の変調波の周期と比較して微小な時間の間、前記アンテナを短絡させる手段であることを特徴としている。
【００１７】
この請求項５に記載の発明によれば、請求項１又は３に記載の発明と同様の効果を奏するとともに、受信信号の搬送波の半周期以上の時間であり、且つ変調信号の周期と比較して微小な時間の間、アンテナを短絡させることができる。従って、アンテナの同調周波数は受信信号の搬送波の周波数と等しいため、搬送波の半周期以上の時間の間アンテナを短絡させることで、信号ノイズによるアンテナの蓄積エネルギーをほぼ放出させることが可能となる。
【００１８】
また、請求項６に記載の発明は、
請求項１又は３に記載の電波受信装置と、
この電波受信装置から出力される検波信号に基づいて標準タイムコードを生成するタイムコード生成手段（例えば、図１のタイムコード生成部７０）と、
現在時刻データを計時する計時手段（例えば、図１の計時回路部８０）と、
前記タイムコード生成手段により生成された標準タイムコードに基づいて、前記計時手により計時された現在時刻データを修正する修正手段（例えば、図１のＣＰＵ１０）と、
を備えることを特徴とする電波時計（例えば、図１の電波時計１）である。
【００１９】
この請求項６に記載の発明によれば、請求項１又は３に記載の発明と同様の効果を奏する電波時計を実現できる。
【００２０】
また、請求項７に記載の発明は、
請求項１又は３に記載の電波受信装置と、
この電波受信装置から出力される検波信号に基づいて標準タイムコードを生成するタイムコード生成手段（例えば、図８のタイムコード生成部７０）と、
このタイムコード生成手段により生成された標準タイムコードを送信する送信手段（例えば、図８の送信部９０）と、
を備えることを特徴とする中継器（例えば、図８の中継器２）である。
【００２１】
この請求項７に記載の発明によれば、請求項１又は３に記載の発明と同様の効果を奏する中継器を実現できる。
【発明の効果】
【００２２】
請求項１に記載の発明によれば、アンテナを所定時間の間隔で周期的に短絡させて受信信号による蓄積エネルギーを放出させる電波受信装置を実現できる。従って、ノイズ信号が混入された信号を受信した場合であっても、アンテナを周期的に短絡させることでノイズ信号による蓄積エネルギーが周期的に放出されるので、受信信号からノイズ信号を除去するとともに、このノイズ信号の蓄積エネルギーによって後々まで継続される影響の除去が可能となる。
【００２３】
この場合、請求項２に記載の発明によれば、受信信号の増幅度を調整するための増幅度調整信号の信号レベルに基づいてアンテナの短絡周期を可変することができる。具体的には、増幅度調整信号は検波信号の信号レベルに基づいて生成されるので、例えば検波信号の信号レベルが大きい程混入されるノイズ信号が大きいとみなしてアンテナの短絡周期を短くし、信号レベルが小さい程短絡周期を短くするといったことが可能である。
【００２４】
請求項３に記載の発明によれば、検波信号の信号波形に基づいて受信信号へのノイズ信号の混入頻度を判定し、ノイズが混入されていると判定した場合、アンテナを所定時間の間短絡させて受信信号による蓄積エネルギーを放出させる電波受信装置を実現できる。従って、ノイズ信号が混入された信号を受信した場合であっても、アンテナを短絡させることでノイズ信号による蓄積エネルギーが放出されるので、受信信号からノイズ信号を除去するとともに、このノイズ信号の蓄積エネルギーによって後々まで継続される影響の除去が可能となる。
【００２５】
この場合、請求項４に記載の発明によれば、受信信号へのノイズの混入頻度を判定し、この判定した混入頻度に応じた周期でアンテナを短絡させることができる。具体的には、例えばノイズ信号の混入頻度が大きい程、短い周期でアンテナを短絡させ、混入頻度が小さい程、長い周期で短絡させるといったことが可能である。
【００２６】
そして、請求項５に記載の発明によれば、受信信号の搬送波の半周期以上の時間であり、且つ変調信号の周期と比較して微小な時間の間、アンテナを短絡させることができる。従って、アンテナの同調周波数は受信信号の搬送波の周波数と等しいため、搬送波の半周期以上の時間の間アンテナを短絡させることで、信号ノイズによるアンテナの蓄積エネルギーをほぼ放出させることが可能となる。
【００２７】
更に、請求項６に記載の発明によれば、上記と同様の効果を奏する電波時計を実現できる。また、請求項７に記載の発明によれば、上記と同様の効果を奏する中継器を実現できる。
【発明を実施するための最良の形態】
【００２８】
以下、図面を参照して、本発明を実施するための最良の形態を説明する。尚、以下では、本発明を電波時計に適用した場合について説明するが、その他、電波を受信する装置であれば同様に適用可能なのは勿論である。
【００２９】
［電波時計の構成］
図１は、本発明を適用した電波時計１の回路構成を示すブロック図である。同図によれば、電波時計１は、ＣＰＵ（Central Processing Unit）１０と、入力部２０と、表示部３０と、ＲＯＭ（Read Only Memory）４０と、ＲＡＭ（Random Access Memory）５０と、受信制御部６０と、タイムコード生成部７０と、計時回路部８０と、発振回路部８１と、を備えて構成されており、発振回路部８１を除く各部はバスＢによってデータ転送が可能に接続されている。また、計時回路部８０には発振回路部８１が接続され、受信制御部６０は電波受信装置６１を備えている。
【００３０】
ＣＰＵ１０は、所定のタイミング或いは入力部２０から入力された操作信号に応じて、ＲＯＭ４０内に格納された各種プログラムを読み出してＲＡＭ５０内に展開し、当該プログラムに基づいて電波時計１内の各部への指示やデータの転送等を行う。特に、ＣＰＵ１０は、例えば所定時間毎に受信制御部６０を制御して標準電波の受信処理を実行し、タイムコード生成部７０から入力された標準タイムコードに基づいて計時回路部８０で計時される現在時刻データを修正するとともに、当該修正したタイムコードに基づく表示信号を表示部３０に出力して表示時刻を更新させる等の各種制御を行う。
【００３１】
入力部２０は、電波時計１に各種機能を実行させるためのスイッチ等で構成され、これらのスイッチが操作された時には、対応するスイッチの操作信号をＣＰＵ１０に出力する。表示部３０は、小型液晶ディスプレイ等により構成され、例えばＣＰＵ１０から入力される表示信号に基づいて計時回路部８０による現在時刻データ等をデジタル表示する。
【００３２】
ＲＯＭ４０は、主に、電波時計１にかかるシステムプログラムやアプリケーションプログラム、データ等を記憶する。ＲＡＭ５０は、ＣＰＵ１０の作業領域として用いられ、ＲＯＭ４０から読み出されたプログラムやデータ、ＣＰＵ１０で処理されたデータ等を一時的に記憶する。
【００３３】
受信制御部６０は電波受信装置６１を備える。電波受信装置６１は、受信アンテナで受信した受信信号から不要な周波数成分をカットして長波標準電波に該当する周波数信号を取り出し、取り出した周波数信号を対応する信号に変換して出力する。
【００３４】
タイムコード生成部７０は、電波受信装置６１から入力された信号に基づいて、標準時刻コードや積算日コード、曜日コード等の時計機能に必要なデータを含む標準タイムコードを生成して、ＣＰＵ１０に出力する。
【００３５】
計時回路部８０は、発振回路部８１から入力される信号を計数して現在時刻データ等を計時し、計時した現在時刻データをＣＰＵ１０に出力する。発振回路部８１は、常時一定周波数の信号を出力する。
【００３６】
このように構成される電波時計１に適用される２つの実施形態を、以下、順に説明する。尚、本実施形態の電波時計１は電波受信装置６１に特徴を有しているため、以下の各実施形態では、この電波受信装置６１について詳細に説明する。
【００３７】
［第１実施形態］
先ず、第１実施形態を説明する。
【００３８】
＜電波受信装置の構成＞
図２は、第１実施形態におけるスーパーへテロダイン方式を用いた電波受信装置６１Ａの回路構成を示すブロック図である。同図によれば、電波受信装置６１Ａは、受信アンテナ６１１ａと、スイッチ回路６１２ａと、ＲＦ増幅回路６１３ａと、フィルタ回路６１４ａ、６１７ａ、６１９ａと、周波数変換回路６１５ａと、局部発振回路６１６ａと、ＩＦ増幅回路６１８ａと、検波回路６２１ａと、ＡＧＣ（Auto Gain Control）回路６２２ａと、ＳＷ制御回路６２４ａと、タイミング生成回路６２３ａと、を備えて構成される。
【００３９】
受信アンテナ６１１ａは、例えばバーアンテナ等によって構成され、タイムコードを含む長波標準電波の周波数（具体的には、４０ｋＨｚ又は６０ｋＨｚ）に同調してこれを受信し、該当する電気信号に変換して出力する。
【００４０】
スイッチ回路６１２ａは、受信アンテナ６１１ａとＲＦ増幅回路６１３ａとの間に設けられ、ＳＷ制御回路６２４ａによる制御に応じてスイッチを開閉（ＯＮ／ＯＦＦ）する。そして、スイッチ回路６１２ａがＯＦＦである間は、受信アンテナ６１１ａから出力された信号がＲＦ増幅回路６１３ａに入力される。また、スイッチ回路６１２ａがＯＮである間は、受信アンテナ６１１ａが短絡（ショート）されるので、受信アンテナ６１１ａから出力された信号はＲＦ増幅回路６１３ａに入力されない。尚ここで、スイッチ回路６１２ａにおいて、スイッチと直列にインピーダンスを接続して蓄積エネルギーの消費を促すこととしても良い。
【００４１】
ＲＦ増幅回路６１３ａは、スイッチ回路６１２ａを介して受信アンテナ６１１ａから入力された信号を、ＡＧＣ回路６２２ａから入力されたＲＦ制御信号に応じた増幅度で増幅（或いは減衰）して出力する。フィルタ回路６１４ａは、バンドパスフィルタ等で構成され、ＲＦ増幅回路６１３ａから入力された信号に対して受信周波数を中心とした所定範囲の周波数を通過させ、範囲外の周波数成分を遮断して出力する。
【００４２】
周波数変換回路６１５ａは、フィルタ回路６１４ａから入力された信号と局部発振回路６１６ａから入力された信号とを合成し、中間周波信号として出力する。局部発振回路６１６ａは、局部発振周波数の信号を生成して出力する。フィルタ回路６１７ａは、バンドパスフィルタ等で構成され、周波数変換回路６１５ａから入力された中間周波信号に対して中間周波数を中心とした所定範囲の周波数を通過させ、範囲外の周波数成分を遮断して出力する。
【００４３】
ＩＦ増幅回路６１８ａは、フィルタ回路６１７ａから入力された信号を、ＡＧＣ回路６２２ａから入力されたＩＦ制御信号に応じた増幅度で増幅（或いは減衰）して出力する。フィルタ回路６１９ａは、バンドパスフィルタ等で構成され、ＩＦ増幅回路６１８ａから入力された信号に対して所定範囲の周波数を通過させ、範囲外の周波数成分を遮断して出力する。
【００４４】
検波回路６２１ａは、フィルタ回路６１９ａから入力された信号を検波し、検波信号を出力する。ＡＧＣ回路６２２ａは、検波回路６２１ａから入力された検波信号の強弱（信号レベルの大きさ）に従って、ＲＦ増幅回路６１３ａの増幅度を調整する利得制御用信号としてＲＦ制御信号を生成するとともに、ＩＦ増幅回路６１８ａの増幅度を調整する利得制御用信号としてＩＦ制御信号を生成して出力する。
【００４５】
タイミング生成回路６２３ａは、受信アンテナ６１１ａで受信された受信信号に対するノイズ除去を制御するためのノイズ除去制御信号Ｇ１を生成して出力する。ノイズ除去制御信号Ｇ１は、図３に示すように、パルス幅Ｗ及びパルス間隔Ｔがともに一定のパルス信号である。パルス幅Ｗは、受信アンテナ６１１ａで受信する長波標準電波（変調波）の秒信号の周期（即ち、１秒）と比較してかなり短く（微小）、且つ、搬送波（即ち、４０ｋＨｚ又は６０ｋＨｚの信号）の半周期以上の長さである。ここでは、搬送波の数周期程度の長さとする。
【００４６】
ＳＷ制御回路６２４ａは、タイミング生成回路６２３ａから入力されるノイズ除去制御信号Ｇ１に従ってスイッチ回路６１２ａのＯＮ／ＯＦＦを制御する。具体的には、パルス信号であるノイズ除去制御信号Ｇ１のパルスが入力されている間はスイッチ回路６１２ａをＯＮさせ、それ以外の場合にはＯＦＦさせる。
【００４７】
従って、ノイズ除去制御信号Ｇ１はパルス幅Ｗ及びパルス周期Ｔがともに一定のパルス信号であるので、受信アンテナ６１１ａは、パルス周期Ｔに相当する時間間隔で、パルス幅Ｗに相当する時間の間、周期的に短絡されることになる。そして、受信アンテナ６１１ａが短絡されている間、即ちパルス幅Ｗに相当する時間の間は、受信信号がＲＦ増幅回路６１３ａに入力されない。また、パルス幅Ｗは受信信号の搬送波の、例えば数周期程度であるので、受信アンテナ６１１ａが短絡されることで、その時点での受信アンテナ６１１ａの蓄積エネルギーがほぼ放出される。
【００４８】
図４は、電波受信装置６１Ａの各部における信号波形を示す図である。同図（ａ）は、ノイズ信号が混入されない場合の理想的な検波信号の波形を示す図である。ノイズ信号が混入されない場合、検波信号は、理想的には方形波となり、受信アンテナ６１１ａでは、この波形を包絡線とする受信信号が受信される。
【００４９】
同図（ｂ）は、受信信号に混入されるノイズ信号の波形を示す図である。また、同図（ｃ）は、同図（ｂ）に示したノイズ信号が混入された受信信号に対する検波信号の波形を示す図である。尚、点線は、同図（ａ）に示したノイズ信号が混入されない理想的な検波信号の波形を示している。
【００５０】
即ち、同図（ｃ）によれば、ノイズ信号が混入された受信信号は、ノイズ信号の混入（重畳）による波形劣化に加え、更に、受信アンテナ６１１ａに蓄積されたノイズ信号のエネルギー（蓄積エネルギー）の影響により、理想的な検波信号の波形に対して振幅が大きく乱れた波形となる。
【００５１】
同図（ｄ）は、ノイズ除去制御信号Ｇ１の波形を示す図である。尚ここでは、ノイズ除去制御信号Ｇ１をインパルス形状の波形として示しているが、実際には、図３に示したように、一定のパルス幅Ｗ及びパルス間隔Ｔを持つパルス形状の波形の信号である。また、同図（ｅ）は、同図（ｄ）に示したノイズ除去制御信号Ｇ１を生成した場合（即ち、ノイズ除去を行った場合）の検波信号の波形を示す図である。
【００５２】
ノイズ除去制御信号Ｇ１を生成すると、ノイズ除去制御信号Ｇ１のパルスが入力されている間、スイッチ回路６１２ａがＯＮすることで受信アンテナ６１１ａが短絡し、受信アンテナ６１１ａでの受信信号がその後段の回路（即ち、ＲＦ増幅回路６１３ａ以降の回路）に入力されないので、検波信号のレベルが所定レベルまで低下する。また、受信アンテナ６１１ａが短絡することで蓄積エネルギーが放出されるので、パルスの入力の終了直後は、ノイズ信号が混入されていない場合の波形（同図（ａ））とほぼ一致する波形となる。即ち、パルスの入力により、ノイズ信号による影響が除去されたことになる。
【００５３】
そして、同図（ｆ）は、同図（ｅ）に示した検波信号に対してＬＰＦ（Low Pass Filter）を通過させた後の信号波形を示す図である。また、点線は、ノイズ信号が混入されず、且つノイズ除去を行わない場合の検波信号の波形を示している。即ち、ノイズ除去を行うと、ノイズ除去制御信号Ｇ１によるパルスが入力されている間での検波信号のレベル低下によって信号レベルが全体的に低下するが、長波標準電波の場合、１０％及び１００％の２つの変調度を持つ信号であるので、タイムコードの再生には問題ない。
【００５４】
＜作用・効果＞
以上、第１実施形態によれば、タイミング生成回路６２３ａで生成されるノイズ除去制御信号Ｇ１に従ってスイッチ回路６１２ａがＯＮ／ＯＦＦされる。ノイズ除去制御信号Ｇ１は、パルス幅Ｗ及びパルス間隔Ｔがともに一定のパルス信号である。即ち、受信アンテナ６１１ａは、ノイズ除去信号Ｇ１のパルス間隔Ｔに相当する時間間隔でパルス幅Ｗに相当する時間の間、周期的に短絡される。従って、受信アンテナ６１１ａが周期的に短絡されることで蓄積エネルギーが周期的に放出されるので、受信信号からノイズ信号を除去するとともに、このノイズ信号の蓄積エネルギーに起因する影響の継続を除去することが可能となる。
【００５５】
［第２実施形態］
次に、第２実施形態を説明する。
第２実施形態では、利得制御用信号の信号レベルに基づいてノイズ除去制御信号を生成する点が第１実施形態と異なる。
【００５６】
＜電波受信装置の構成＞
図５は、第２実施形態におけるスーパーヘテロダイン方式の電波受信装置６１Ｂの回路構成を示すブロック図である。同図によれば、電波受信装置６１Ｂは、受信アンテナ６１１ｂと、スイッチ回路６１２ｂと、ＲＦ増幅回路６１３ｂと、フィルタ回路６１４ｂ、６１７ｂ、６１９ｂと、周波数変換回路６１５ｂと、局部発振回路６１６ｂと、ＩＦ増幅回路６１８ｂと、検波回路６２１ｂと、ＡＧＣ回路６２２ｂと、タイミング生成回路６２３ｂと、ＳＷ制御回路６２４ｂと、を備えて構成される。
【００５７】
尚、受信アンテナ６１１ｂ、ＲＦ増幅回路６１３ｂ、フィルタ回路６１４ｂ、６１７ｂ、６１９ｂ、周波数変換回路６１５ｂ、局部発振回路６１６ｂ、ＩＦ増幅回路６１８ｂ及び検波回路６２１ｂは、それぞれ、第１実施形態において図２に示した受信アンテナ６１１ａ、ＲＦ増幅回路６１３ａ、フィルタ回路６１４ａ、６１７ａ、６１９ａ、周波数変換回路６１５ａ、局部発振回路６１６ａ、ＩＦ増幅回路６１８ａ及び検波回路６２１ａに相当するものであり、ここでの詳細な説明は省略する。
【００５８】
ＡＧＣ回路６２２ｂは、検波回路６２１ｂから入力された検波信号の強弱（信号レベルの大きさ）に従ってＲＦ増幅回路６１３ｂの増幅度を調整するためのＲＦ制御信号及びＩＦ増幅回路６１８ｂの増幅度を調整するＩＦ制御信号を生成するとともに、タイミング生成回路６２３ｂによるノイズ除去制御信号Ｇ２の生成を制御するタイミング制御信号ｔｂを生成する。尚、タイミング制御信号ｔｂは、ＲＦ制御信号又はＩＦ制御信号と同一の信号であっても良いし、ＲＦ制御信号又はＩＦ制御信号の信号レベルを適当に変化（大きく又は小さく）させたものであっても良い。
【００５９】
スイッチ回路６１２ｂは、受信アンテナ６１１ｂとＲＦ増幅回路６１３ｂとの間に設けられ、ＳＷ制御回路６２４ｂによる制御に応じてスイッチを開閉（ＯＮ／ＯＦＦ）する。そして、スイッチ回路６１２ｂがＯＦＦである間は、受信アンテナ６１１ｂから出力された信号がＲＦ増幅回路６１３ｂに入力される。また、スイッチ回路６１２ｂがＯＮである間は、受信アンテナ６１１ｂが短絡（ショート）されるので、受信アンテナ６１１ｂから出力された信号はＲＦ増幅回路６１３ｂに入力されない。尚ここで、スイッチ回路６１２ｂにおいて、スイッチと直列にインピーダンスを接続して蓄積エネルギーの消費を促すこととしても良い。
【００６０】
タイミング生成回路６２３ｂは、ＡＧＣ回路６２２ｂから入力されるタイミング制御信号ｔｂの信号レベルに応じて、受信アンテナ６１１ｂで受信された受信信号に対するノイズ除去を制御するためのノイズ除去制御信号Ｇ２を生成して出力する。ノイズ除去制御信号Ｇ２は、図６に示すように、パルス幅Ｗが一定のパルス信号である。パルス幅Ｗは、受信アンテナ６１１ｂで受信する長波標準電波の秒信号の周期（即ち、１秒）と比較してかなり短く（微小）、且つ、搬送波の半周期以上の長さである。ここでは、搬送波の数周期程度の長さとする。
【００６１】
また、パルス間隔Ｔ１、Ｔ２、・・、は、タイミング制御信号ｔｂの信号レベルに応じた長さであり、このタイミング制御信号ｔｂの信号レベルは検波信号の信号レベルに応じて生成される、即ちノイズ信号の大きさに影響を受けること、また、検波信号をＬＰＦに通してから処理する場合には受信アンテナ６１１ｂの短絡の頻度が大きい程信号レベルが低下し易い等の理由から、ＡＧＣ回路６２２ｂにおいて検知された電波受信装置６１Ｂの受信感度が高い程短く、受信感度が低い程長く設定される。
【００６２】
ＳＷ制御回路６２４ｂは、タイミング生成回路６２３ｂから入力されるノイズ除去制御信号Ｇ２に従ってスイッチ回路６１２ｂのＯＮ／ＯＦＦを制御する。具体的には、パルス信号であるノイズ除去制御信号のパルスが入力されている間スイッチ回路６１２ｂをＯＮさせ、それ以外の場合にはＯＦＦさせる。
【００６３】
従って、ノイズ除去制御信号Ｇ２のパルス幅Ｗに相当する時間の間は、受信アンテナ６１１ｂが短絡されて受信信号がＲＦ増幅回路６１３ｂに入力されない。また、パルス幅Ｗは、例えば受信アンテナ６１１ｂで受信する受信信号の搬送波の数周期程度であるので、受信アンテナ６１１ｂが短絡されることで、その時点での受信アンテナ６１１ｂの蓄積エネルギーがほぼ放出される。
【００６４】
＜作用・効果＞
以上のように、第２実施形態によれば、タイミング生成回路６２３ｂで生成されるノイズ除去制御信号Ｇ２に従ってスイッチ回路６１２ｂがＯＮ／ＯＦＦされる。ノイズ除去制御信号Ｇ２は、パルス幅Ｗが一定であり、タイミング制御信号ｔｂの信号レベルに応じたパルス間隔Ｔ１、Ｔ２、・・、を持つパルス信号である。即ち、受信アンテナ６１１ａは、ノイズ除去信号Ｇ１のパルス間隔Ｔ１、Ｔ２、・・、に相当する時間間隔でパルス幅Ｗに相当する時間の間、周期的に短絡される。従って、受信アンテナ６１１ｂが短絡されることで蓄積エネルギーが放出されるので、受信信号からノイズ信号を除去するとともに、このノイズ信号の蓄積エネルギーに起因する影響の継続を除去することが可能となる。また、タイミング制御信号ｔｂは、利得制御用信号に基づく信号であるので、結果的に、検波信号の信号レベルに応じた時間間隔Ｔ１、Ｔ２、・・、で受信アンテナ６１１ｂを短絡することとなり、より効果的にノイズ信号及びその影響を除去することが可能となる。
【００６５】
［第３実施形態］
次に、第３実施形態を説明する。
第３実施形態では、判定したノイズ信号の混入頻度に応じてノイズ除去制御信号を生成する点が第１、第２実施形態と異なる。
【００６６】
＜電波受信装置の構成＞
図７は、第３実施形態におけるスーパーヘテロダイン方式の電波受信装置６１Ｃの回路構成を示すブロック図である。同図によれば、電波受信装置６１Ｃは、受信アンテナ６１１ｃと、スイッチ回路６１２ｃと、ＲＦ増幅回路６１３ｃと、フィルタ回路６１４ｃ、６１７ｃ、６１９ｃと、周波数変換回路６１５ｃと、局部発振回路６１６ｃと、ＩＦ増幅回路６１８ｃと、検波回路６２１ｃと、ＡＧＣ回路６２２ｃと、タイミング生成回路６２３ｃと、ＳＷ制御回路６２４ｃと、ノイズ検出回路６２５ｃと、を備えて構成される。
【００６７】
尚、受信アンテナ６１１ｃ、ＲＦ増幅回路６１３ｃ、フィルタ回路６１４ｃ、６１７ｃ、６１９ｃ、周波数変換回路６１５ｃ、局部発振回路６１６ｃ、ＩＦ増幅回路６１８ｃ、検波回路６２１ｃ及びＡＧＣ回路６２２ｃは、それぞれ、第１実施形態において図２に示した受信アンテナ６１１ａ、ＲＦ増幅回路６１３ａ、フィルタ回路６１４ａ、６１７ａ、６１９ａ、周波数変換回路６１５ａ、局部発振回路６１６ａ、ＩＦ増幅回路６１８ａ、検波回路６２１ａ及びＡＧＣ回路６２２ａに相当するものであり、ここでの詳細な説明は省略する。
【００６８】
ノイズ検出回路６２５ｃは、検波回路６２１ｃから入力される検波信号の信号レベルと所定の基準レベルとを比較してノイズ信号の混入の有無及びノイズ信号の混入頻度（混入の程度）を判定し、その判定結果に応じて、タイミング生成回路６２３ｃによるノイズ除去制御信号Ｇ３の生成を制御するためのタイミング制御信号ｔｃを生成する。具体的には、例えば検波信号の信号レベルと所定の基準レベルとの差が大きい程、ノイズ信号の混入頻度が大きいと判定する。
【００６９】
タイミング生成回路６２３ｃは、ノイズ検出回路６２５ｃから入力されるタイミング制御信号ｔｃに応じて、受信アンテナ６１１ｃで受信された受信信号に対するノイズ除去を制御するためのノイズ除去制御信号Ｇ３を生成して出力する。ノイズ除去制御信号Ｇ３は、第１実施形態におけるノイズ除去制御信号Ｇ１と同様に、パルス幅Ｗが一定のパルス信号である。また、パルス間隔は、タイミング制御信号ｔｃの信号レベルに応じた長さであり、ノイズ検出回路６２５ｃにおいて検知されたノイズ信号の混入頻度が大きい程短く、混入頻度が小さい程長く設定される。
【００７０】
ＳＷ制御回路６２４ｃは、タイミング生成回路６２３ｃから入力されるノイズ除去制御信号Ｇ３に従ってスイッチ回路６１２ｃのＯＮ／ＯＦＦを制御する。具体的には、パルス信号であるノイズ除去制御信号Ｇ３のパルスが入力されている間スイッチ回路６１２ｃをＯＮさせ、それ以外の場合にはＯＦＦさせる。
【００７１】
従って、ノイズ除去制御信号Ｇ３のパルス幅Ｗに相当する時間の間は、受信アンテナ６１１ｃが短絡されて受信信号がＲＦ増幅回路６１３ｃに入力されない。また、パルス幅Ｗは、例えば受信アンテナ６１１ｃで受信する受信信号の搬送波の数周期程度であるので、受信アンテナ６１１ｃが短絡されることで、その時点での受信アンテナ６１１ｃの蓄積エネルギーがほぼ放出される。
【００７２】
＜作用・効果＞
以上、第２実施形態によれば、タイミング生成回路６２３ｃで生成されるノイズ除去制御信号Ｇ３に従ってスイッチ回路６１２ｃがＯＮ／ＯＦＦされる。ノイズ除去制御信号Ｇ３は、パルス幅Ｗが一定であり、タイミング制御信号ｔｃの信号レベルに応じたパルス間隔を持つパルス信号である。即ち、受信アンテナ６１１ｃは、ノイズ除去信号Ｇ３のパルス間隔に相当する時間間隔でパルス幅Ｗに相当する時間の間、周期的に短絡される。従って、受信アンテナ６１１ｃが短絡されることで蓄積エネルギーが放出されるので、受信信号からノイズ信号を除去するとともに、このノイズ信号の蓄積エネルギーに起因する影響の継続を除去することが可能となる。また、ノイズ除去信号Ｇ３は、検波信号の信号レベルと所定の基準レベルとの比較結果に基づく信号であるので、結果的に、ノイズ信号の混入頻度に応じた時間間隔で受信アンテナ６１１ｂを短絡することとなり、より効果的にノイズ信号及びその影響を除去することが可能となる。
【００７３】
［変形例］
尚、本発明の適用は、上述した実施の形態に限定されることなく、本発明の趣旨を逸脱しない範囲で適宜変更可能である。
【００７４】
（１）ノイズ除去制御信号の生成をＣＰＵ１０が制御
例えば、タイミング生成回路６２３ａ、６２３ｂ、６２３ｃによるノイズ除去制御信号Ｇ１、Ｇ２、Ｇ３の生成をＣＰＵ１０が制御しても良い。即ち、ＣＰＵ１０が、検波信号の波形に基づいてノイズ信号の混入の有無及び頻度を判定し、混入されていると判定した場合にノイズ除去制御信号Ｇ１、Ｇ２、Ｇ３の生成を行わせる。具体的には、例えば日本における標準電波（長波標準電波）の場合、図１０に示したように、１秒毎にパルス幅が０.２秒、０.５秒又は０.８秒のパルス信号（秒信号）が送出されるので、検波信号の波形からこの秒信号の立ち上がりの有無を判定し、１フレーム（即ち、１分）中、立ち上がりが確認されない秒信号の数が所定数以上の場合にノイズ除去制御信号Ｇ１、Ｇ２、Ｇ３を生成させる。更に、ノイズ信号の混入程度、即ち立ち上がりが確認されない秒信号の数の大小に応じてノイズ除去信号Ｇ１、Ｇ２、Ｇ３のパルス間隔（周期）を可変しても良い。
【００７５】
（２）ストレート方式の電波受信装置
また、上述した実施形態では、スーパーヘテロダイン方式の電波受信装置６１（６１Ａ、６１Ｂ、６１Ｂ）を用いることとしたが、これを、図８に示すストレート方式の電波受信装置６１Ｄを用いることとしても良い。
【００７６】
図８は、第１、第２実施形態に適用したストレート方式の電波受信装置６１Ｄの回路構成を示す図である。尚、同図において、上述した電波受信装置６１Ａ（図２参照）、６１Ｂ（図５参照）と同一要素については同符合を付している。図８によれば、電波受信装置６１Ｄは、受信アンテナ６１１ａ（６１１ｂ）と、スイッチ回路６１２ａ（６１２ｂ）と、ＲＦ増幅回路６１３ａ（６１３ｂ）と、フィルタ回路６１４ａ（６１４ｂ）、６１７ａ（６１７ｂ）、６１９ａ（６１９ｂ）と、検波回路６２１ａ（６２１ｂ）と、ＡＧＣ回路６２２ａ（６２２ｂ）と、タイミング生成回路６２３ａ（６２３ｂ）と、ＳＷ制御回路６２４ａ（６２４ｂ、６２４ｃ）と、を備えて構成される。この場合、検波回路６２１ａ（６２１ｂ、６２１ｃ）には、フィルタ回路６１４ａ（６１４ｂ、６１４ｃ）から出力された信号が入力され、ＡＧＣ回路６２２ａ（６２２ｂ、６２２）は、ＲＦ増幅回路６１３ａ（６１３ｂ）の増幅度を制御するＲＦ制御信号を生成する。
【００７７】
（３）中継器（電波送受信装置）に適用
また、上述した実施形態では、本発明を電波時計に適用した場合について説明したが、中継器に適用しても良い。中継器とは、例えば内部に電波が届き難い鉄骨住宅等の建物の窓際に設置され、長波標準電波を受信して正確な時刻情報を得て、この時刻情報を送信する装置である。そして、室内に設置された電波時計は、中継器から送信された時刻情報を受信して時刻修正を行う。
【００７８】
図９は、本発明を適用した中継器２の内部構成を示すブロック図である。尚、同図において、上述した電波時計１（図１参照）と同一要素については同符合を付している。図８によれば、中継器２は、ＣＰＵ１０と、入力部２０と、表示部３０と、ＲＡＭ５０と、ＲＯＭ４０と、受信制御部６０と、タイムコード生成部７０と、計時回路部８０と、発振回路部８１と、送信部９０と、を備えて構成される。
【００７９】
送信部９０は、計時回路部８０によって計時された現在時刻データに基づいて中継タイムコードを生成し、該中継タイムコードに搬送波を付加して中継電波とし、送信アンテナを介して送信する。この時の搬送波は、受信する長波標準電波と同一であっても良いし、中継電波として専用の電波であっても良い。長波標準電波と同一である場合には、室内等に設置される電波時計は通常の電波時計であって良い。また、中継電波として専用の電波である場合には、電波時計には当該電波を受信する手段が必要となる。
【図面の簡単な説明】
【００８０】
【図１】本発明を適用した電波時計の回路構成図。
【図２】第１実施形態における電波受信装置の回路構成図。
【図３】第１実施形態におけるノイズ除去制御信号の波形図。
【図４】第１実施形態における電波受信装置の各部の信号波形図。
【図５】第２実施形態における電波受信装置の回路構成図。
【図６】第２実施形態におけるノイズ除去制御信号の波形図。
【図７】第３実施形態における電波受信装置の回路構成図。
【図８】ストレート方式の電波受信装置の回路構成図。
【図９】本発明を適用した中継器の回路構成図。
【図１０】長波標準電波のタイムコードのフォーマット。
【図１１】ノイズ信号による受信信号への影響を説明する図。
【符号の説明】
【００８１】
１  電波時計
１０  ＣＰＵ
２０  入力部
３０  表示部
４０  ＲＯＭ
５０  ＲＡＭ
６０  受信制御部
６１（６１Ａ、６１Ｂ、６１Ｃ）  電波受信装置
６１１ａ、６１１ｂ、６１１ｃ  受信アンテナ
６１２ａ、６１２ｂ、６１２ｃ  スイッチ回路
６１３ａ、６１３ｂ、６１３ｃ  ＲＦ増幅回路
６１４ａ、６１７ａ、６１９ａ、６１４ｂ、６１７ｂ、６１９ｂ、６１４ｃ、６１７ｃ、６１９ｃ  フィルタ回路
６１５ａ、６１５ｂ、６１５ｃ  周波数変換回路
６１６ａ、６１６ｂ、６１５ｃ  局部発振回路
６１８ａ、６１８ｂ、６１８ｃ  ＩＦ増幅回路
６２１ａ、６２１ｂ、６２１ｃ  検波回路
６２２ａ、６２２ｂ、６２２ｃ  ＡＧＣ回路
６２３ａ、６２３ｂ、６２３ｃ  タイミング生成回路
６２４ａ、６２４ｂ、６２４ｃ  ＳＷ制御回路
６２５ｃ  ノイズ検出回路
７０  タイムコード生成部
８０  計時回路部
８１  発振回路部
２  中継器
９０  送信部
Ｇ１、Ｇ２、Ｇ３  ノイズ除去制御信号
ｔｂ、ｔｃ  タイミング制御信号
【図１】
2005223478.tif 000003
【図２】
2005223478.tif 000004
【図３】
2005223478.tif 000005
【図４】
2005223478.tif 000006
【図５】
2005223478.tif 000007
【図６】
2005223478.tif 000008
【図７】
2005223478.tif 000009
【図８】
2005223478.tif 000010
【図９】
2005223478.tif 000011
【図１１】
2005223478.tif 000012
【図１０】
2005223478.tif 000013
【手続補正書】
【提出日】平成16年12月16日(2004.12.16)
【手続補正１】
【補正対象書類名】特許請求の範囲
【補正対象項目名】全文
【補正方法】変更
【補正の内容】
【特許請求の範囲】
【請求項１】
アンテナで受信した受信信号を検波して検波信号を出力する電波受信装置において、
前記アンテナを所定時間の間隔で周期的に短絡させて受信信号による蓄積エネルギーを放出させるアンテナ短絡制御手段を備えることを特徴とする電波受信装置。
【請求項２】
前記受信信号を増幅する増幅手段と、
前記検波信号の信号レベルに応じて前記増幅手段による増幅度を調整するための増幅度調整信号を生成する増幅度調整手段と、
を更に備え、
前記アンテナ短絡制御手段は、前記増幅度調整手段により生成された増幅度調整信号の信号レベルに基づいて前記アンテナの短絡周期を可変する短絡周期可変手段を有することを特徴とする請求項１に記載の電波受信装置。
【請求項３】
アンテナで受信した受信信号を検波して検波信号を出力する電波受信装置において、
前記検波信号の信号波形に基づいて前記受信信号へのノイズ信号の混入を判定するノイズ混入判定手段と、
このノイズ混入判定手段によりノイズが混入されていると判定された場合に前記アンテナを所定時間の間短絡させて受信信号による蓄積エネルギーを放出させるアンテナ短絡制御手段を更に備えることを特徴とする電波受信装置。
【請求項４】
前記混入判定手段は、前記受信信号へのノイズ信号の混入頻度を判定する混入頻度判定手段を更に有し、
前記アンテナ短絡制御手段は、前記混入頻度判定手段により判定された混入頻度に応じた周期で前記アンテナを短絡させる手段であることを特徴とする請求項３に記載の電波受信装置。
【請求項５】
前記アンテナ短絡制御手段は、前記受信信号の搬送波の半周期以上の時間であり、且つ該受信信号の変調波の周期と比較して微小な時間の間、前記アンテナを短絡させる手段であることを特徴とする請求項１又は３に記載の電波受信装置。
【請求項６】
アンテナで受信した受信信号を検波する検波手段と、
この検波手段から出力される検波信号に基づいて標準タイムコードを生成するタイムコード生成手段と、
現在時刻データを計時する計時手段と、
前記タイムコード生成手段により生成された標準タイムコードに基づいて、前記計時手により計時された現在時刻データを修正する修正手段と、
前記アンテナを所定時間の間隔で周期的に短絡させて受信信号による蓄積エネルギーを放出させるアンテナ短絡制御手段と、
を備えることを特徴とする電波時計。
【請求項７】
アンテナで受信した受信信号を検波する検波手段と、
この検波手段から出力される検波信号に基づいて標準タイムコードを生成するタイムコード生成手段と、
このタイムコード生成手段により生成された標準タイムコードを送信する送信手段と、
前記アンテナを所定時間の間隔で周期的に短絡させて受信信号による蓄積エネルギーを放出させるアンテナ短絡制御手段と、
を備えることを特徴とする中継器。
【請求項８】
アンテナで受信した受信信号を検波して検波信号を出力する電波受信回路において、
前記アンテナを所定時間の間隔で周期的に短絡させて受信信号による蓄積エネルギーを放出させるアンテナ短絡制御回路を備えることを特徴とする電波受信回路。
【請求項９】
前記受信信号を増幅する増幅回路と、
前記検波信号の信号レベルに応じて前記増幅回路による増幅度を調整するための増幅度調整信号を生成する増幅度調整回路と、
を更に備え、
前記アンテナ短絡制御回路は、前記増幅度調整回路により生成された増幅度調整信号の信号レベルに基づいて前記アンテナの短絡周期を可変する短絡周期可変回路を有することを特徴とする請求項８に記載の電波受信回路。
【請求項１０】
アンテナで受信した受信信号を検波して検波信号を出力する電波受信回路において、
前記検波信号の信号波形に基づいて前記受信信号へのノイズ信号の混入を判定するノイズ混入判定回路と、
このノイズ混入判定回路によりノイズが混入されていると判定された場合に前記アンテナを所定時間の間短絡させて受信信号による蓄積エネルギーを放出させるアンテナ短絡制御回路を更に備えることを特徴とする電波受信回路。
【請求項１１】
前記混入判定回路は、前記受信信号へのノイズ信号の混入頻度を判定する混入頻度判定回路を更に有し、
前記アンテナ短絡制御回路は、前記混入頻度判定回路により判定された混入頻度に応じた周期で前記アンテナを短絡させる回路であることを特徴とする請求項１０記載の電波受信回路。
【請求項１２】
前記アンテナ短絡制御回路は、前記受信信号の搬送波の半周期以上の時間であり、且つ該受信信号の変調波の周期と比較して微小な時間の間、前記アンテナを短絡させる回路であることを特徴とする請求項８又は１０に記載の電波受信回路。
【手続補正３】
【補正対象書類名】明細書
【補正対象項目名】０００８
【補正方法】変更
【補正の内容】
【０００８】
上記課題を解決するために、請求項１に記載の電波受信装置に関する発明は、
アンテナで受信した受信信号を検波して検波信号を出力する電波受信装置（例えば、図１の電波受信装置６１；図２の電波受信装置６１Ａ、図５の電波受信装置６１Ｂ、図７の電波受信装置６１Ｃ）において、
前記アンテナを所定時間の間隔で周期的に短絡させて受信信号による蓄積エネルギーを放出させるアンテナ短絡制御手段（例えば、図２のスイッチ回路６１２ａ、タイミング生成回路６２３ａ及びＳＷ制御回路６２４ａ；図５のスイッチ回路６１２ｂ、タイミング生成回路６２３ｂ及びＳＷ制御回路６２４ｂ；図７のスイッチ回路６１２ｃ、タイミング生成回路６２３ｂ及びＳＷ制御回路６２４ｃ）を備えることを特徴としている。
また、請求項８に記載の電波受信回路に関する発明は、
アンテナで受信した受信信号を検波して検波信号を出力する電波受信回路（例えば、図１の電波受信装置６１；図２の電波受信装置６１Ａ、図５の電波受信装置６１Ｂ、図７の電波受信装置６１Ｃ）において、
前記アンテナを所定時間の間隔で周期的に短絡させて受信信号による蓄積エネルギーを放出させるアンテナ短絡制御回路（例えば、図２のスイッチ回路６１２ａ、タイミング生成回路６２３ａ及びＳＷ制御回路６２４ａ；図５のスイッチ回路６１２ｂ、タイミング生成回路６２３ｂ及びＳＷ制御回路６２４ｂ；図７のスイッチ回路６１２ｃ、タイミング生成回路６２３ｂ及びＳＷ制御回路６２４ｃ）を備えることを特徴としている。
【手続補正４】
【補正対象書類名】明細書
【補正対象項目名】０００９
【補正方法】変更
【補正の内容】
【０００９】
この請求項１、及び請求項８に記載の発明によれば、アンテナを所定時間の間隔で周期的に短絡させて受信信号による蓄積エネルギーを放出させる電波受信装置、及び電波受信回路を実現できる。従って、ノイズ信号が混入された信号を受信した場合であっても、アンテナを周期的に短絡させることでノイズ信号による蓄積エネルギーが周期的に放出されるので、受信信号からノイズ信号を除去するとともに、このノイズ信号の蓄積エネルギーによって後々まで継続される影響の除去が可能となる。
【手続補正５】
【補正対象書類名】明細書
【補正対象項目名】００１０
【補正方法】変更
【補正の内容】
【００１０】
また、請求項２に記載の発明は、請求項１に記載の電波受信装置において、
前記受信信号を増幅する増幅手段（例えば、図５のＲＦ増幅回路６１３ｂ、ＩＦ増幅回路６１８ｂ）と、
前記検波信号の信号レベルに応じて前記増幅手段による増幅度を調整するための増幅度調整信号を生成する増幅度調整手段（例えば、図５のＡＧＣ回路６２２ｂ）と、
前記アンテナ短絡制御手段は、前記増幅度調整手段により生成された増幅度調整信号の信号レベルに基づいて前記アンテナの短絡周期を可変する短絡周期可変手段（例えば、図５のタイミング生成回路６２３ｂ）を有することを特徴としている。
また、請求項９に記載の発明は、請求項８に記載の電波受信回路において、
前記受信信号を増幅する増幅回路（例えば、図５のＲＦ増幅回路６１３ｂ、ＩＦ増幅回路６１８ｂ）と、
前記検波信号の信号レベルに応じて前記増幅回路による増幅度を調整するための増幅度調整信号を生成する増幅度調整回路（例えば、図５のＡＧＣ回路６２２ｂ）と、
前記アンテナ短絡制御回路は、前記増幅度調整回路により生成された増幅度調整信号の信号レベルに基づいて前記アンテナの短絡周期を可変する短絡周期可変回路（例えば、図５のタイミング生成回路６２３ｂ）を有することを特徴としている。
【手続補正６】
【補正対象書類名】明細書
【補正対象項目名】００１１
【補正方法】変更
【補正の内容】
【００１１】
この請求項２、及び請求項９に記載の発明によれば、請求項１、及び請求項８に記載の発明と同様の効果を奏するとともに、受信信号の増幅度を調整するための増幅度調整信号の信号レベルに基づいてアンテナの短絡周期を可変することができる。具体的には、増幅度調整信号は検波信号の信号レベルに基づいて生成されるので、例えば検波信号の信号レベルが大きい程混入されるノイズ信号が大きいとみなしてアンテナの短絡周期を短くし、信号レベルが小さい程短絡周期を短くするといったことが可能である。
【手続補正７】
【補正対象書類名】明細書
【補正対象項目名】００１２
【補正方法】変更
【補正の内容】
【００１２】
また、請求項３に記載の電波受信装置に関する発明は、
アンテナで受信した受信信号を検波して検波信号を出力する電波受信装置（例えば、図１の電波受信装置６１）において、
前記検波信号の信号波形に基づいて前記受信信号へのノイズ信号の混入を判定するノイズ混入判定手段（例えば、図７のノイズ検出回路６２５ｃ）と、
このノイズ混入判定手段によりノイズが混入されていると判定された場合に前記アンテナを所定時間の間短絡させて受信信号による蓄積エネルギーを放出させるアンテナ短絡制御手段（例えば、図７のスイッチ回路６１２ｃ、タイミング生成回路６２３ｃ及びＳＷ制御回路６２４ｃ）を更に備えることを特徴としている。
また、請求項１０に記載の電波受信回路に関する発明は、
アンテナで受信した受信信号を検波して検波信号を出力する電波受信回路（例えば、図１の電波受信装置６１）において、
前記検波信号の信号波形に基づいて前記受信信号へのノイズ信号の混入を判定するノイズ混入判定回路（例えば、図７のノイズ検出回路６２５ｃ）と、
このノイズ混入判定回路によりノイズが混入されていると判定された場合に前記アンテナを所定時間の間短絡させて受信信号による蓄積エネルギーを放出させるアンテナ短絡制御回路（例えば、図７のスイッチ回路６１２ｃ、タイミング生成回路６２３ｃ及びＳＷ制御回路６２４ｃ）を更に備えることを特徴としている。
【手続補正８】
【補正対象書類名】明細書
【補正対象項目名】００１３
【補正方法】変更
【補正の内容】
【００１３】
この請求項３、及び請求項１０に記載の発明によれば、検波信号の信号波形に基づいて受信信号へのノイズ信号の混入頻度を判定し、ノイズが混入されていると判定した場合、アンテナを所定時間の間短絡させて受信信号による蓄積エネルギーを放出させる電波受信装置、及び電波受信回路を実現できる。従って、ノイズ信号が混入された信号を受信した場合であっても、アンテナを短絡させることでノイズ信号による蓄積エネルギーが放出されるので、受信信号からノイズ信号を除去するとともに、このノイズ信号の蓄積エネルギーによって後々まで継続される影響の除去が可能となる。
【手続補正９】
【補正対象書類名】明細書
【補正対象項目名】００１４
【補正方法】変更
【補正の内容】
【００１４】
また、請求項４に記載の発明は、請求項３に記載の電波受信装置において、
前記混入判定手段は、前記受信信号へのノイズ信号の混入頻度を判定する混入頻度判定手段（例えば、図７のノイズ検出回路６２５ｃ）を更に有し、
前記アンテナ短絡制御手段は、前記混入頻度判定手段により判定された混入頻度に応じた周期で前記アンテナを短絡させる手段であることを特徴としている。
また、請求項１１に記載の発明は、請求項１０に記載の電波受信回路において、
前記混入判定回路は、前記受信信号へのノイズ信号の混入頻度を判定する混入頻度判定回路（例えば、図７のノイズ検出回路６２５ｃ）を更に有し、
前記アンテナ短絡制御回路は、前記混入頻度判定回路により判定された混入頻度に応じた周期で前記アンテナを短絡させる回路であることを特徴としている。
【手続補正１０】
【補正対象書類名】明細書
【補正対象項目名】００１５
【補正方法】変更
【補正の内容】
【００１５】
この請求項４、及び請求項１１に記載の発明によれば、請求項３、及び請求項１０に記載の発明と同様の効果を奏するとともに、受信信号へのノイズの混入頻度を判定し、この判定した混入頻度に応じた周期でアンテナを短絡させることができる。具体的には、例えばノイズ信号の混入頻度が大きい程、短い周期でアンテナを短絡させ、混入頻度が小さい程、長い周期で短絡させるといったことが可能である。
【手続補正１１】
【補正対象書類名】明細書
【補正対象項目名】００１６
【補正方法】変更
【補正の内容】
【００１６】
また、請求項５に記載の発明は、請求項１又は３に記載の電波受信装置において、
前記アンテナ短絡制御手段は、前記受信信号の搬送波の半周期以上の時間であり、且つ該受信信号の変調波の周期と比較して微小な時間の間、前記アンテナを短絡させる手段であることを特徴としている。
また、請求項１２に記載の発明は、請求項８又は１０に記載の電波受信回路において、
前記アンテナ短絡制御回路は、前記受信信号の搬送波の半周期以上の時間であり、且つ該受信信号の変調波の周期と比較して微小な時間の間、前記アンテナを短絡させる手段であることを特徴としている。
【手続補正１２】
【補正対象書類名】明細書
【補正対象項目名】００１７
【補正方法】変更
【補正の内容】
【００１７】
この請求項５、及び請求項１２に記載の発明によれば、請求項１又は３、及び請求項８又は１０に記載の発明と同様の効果を奏するとともに、受信信号の搬送波の半周期以上の時間であり、且つ変調信号の周期と比較して微小な時間の間、アンテナを短絡させることができる。従って、アンテナの同調周波数は受信信号の搬送波の周波数と等しいため、搬送波の半周期以上の時間の間アンテナを短絡させることで、信号ノイズによるアンテナの蓄積エネルギーをほぼ放出させることが可能となる。
【手続補正１３】
【補正対象書類名】明細書
【補正対象項目名】００１８
【補正方法】変更
【補正の内容】
【００１８】
また、請求項６に記載の発明は、
アンテナで受信した受信信号を検波する検波手段（例えば、図２の検波回路６２１ａ）と、
この検波手段から出力される検波信号に基づいて標準タイムコードを生成するタイムコード生成手段（例えば、図１のタイムコード生成部７０）と、
現在時刻データを計時する計時手段（例えば、図１の計時回路部８０）と、
前記タイムコード生成手段により生成された標準タイムコードに基づいて、前記計時手により計時された現在時刻データを修正する修正手段（例えば、図１のＣＰＵ１０）と、
前記アンテナを所定時間の間隔で周期的に短絡させて受信信号による蓄積エネルギーを放出させるアンテナ短絡制御手段（例えば、図２のスイッチ回路６１２ａ、タイミング生成回路６２３ａ、ＳＷ制御回路６２４ａ）と、
を備えることを特徴とする電波時計（例えば、図１の電波時計１）である。
【手続補正１４】
【補正対象書類名】明細書
【補正対象項目名】００１９
【補正方法】変更
【補正の内容】
【００１９】
この請求項６に記載の発明によれば、ノイズ信号が混入された信号を受信した場合であっても、アンテナを周期的に短絡させることでノイズ信号による蓄積エネルギーが周期的に放出されるので、受信信号からノイズ信号を除去するとともに、このノイズ信号の蓄積エネルギーによって後々まで継続される影響の除去を可能とする電波時計を実現できる。
【手続補正１５】
【補正対象書類名】明細書
【補正対象項目名】００２０
【補正方法】変更
【補正の内容】
【００２０】
また、請求項７に記載の発明は、
アンテナで受信した受信信号を検波する検波手段（例えば、図２の検波回路６２１ａ）と、
この検波手段から出力される検波信号に基づいて標準タイムコードを生成するタイムコード生成手段（例えば、図８のタイムコード生成部７０）と、
このタイムコード生成手段により生成された標準タイムコードを送信する送信手段（例えば、図８の送信部９０）と、
前記アンテナを所定時間の間隔で周期的に短絡させて受信信号による蓄積エネルギーを放出させるアンテナ短絡制御手段（例えば、図２のスイッチ回路６１２ａ、タイミング生成回路６２３ａ、ＳＷ制御回路６２４ａ）と、
を備えることを特徴とする中継器（例えば、図８の中継器２）である。
【手続補正１６】
【補正対象書類名】明細書
【補正対象項目名】００２１
【補正方法】変更
【補正の内容】
【００２１】
この請求項７に記載の発明によれば、ノイズ信号が混入された信号を受信した場合であっても、アンテナを周期的に短絡させることでノイズ信号による蓄積エネルギーが周期的に放出されるので、受信信号からノイズ信号を除去するとともに、このノイズ信号の蓄積エネルギーによって後々まで継続される影響の除去を可能とする中継器を実現できる。
【手続補正１７】
【補正対象書類名】明細書
【補正対象項目名】００２２
【補正方法】変更
【補正の内容】
【００２２】
請求項１、及び請求項８に記載の発明によれば、アンテナを所定時間の間隔で周期的に短絡させて受信信号による蓄積エネルギーを放出させる電波受信装置、及び電波受信回路を実現できる。従って、ノイズ信号が混入された信号を受信した場合であっても、アンテナを周期的に短絡させることでノイズ信号による蓄積エネルギーが周期的に放出されるので、受信信号からノイズ信号を除去するとともに、このノイズ信号の蓄積エネルギーによって後々まで継続される影響の除去が可能となる。
【手続補正１８】
【補正対象書類名】明細書
【補正対象項目名】００２３
【補正方法】変更
【補正の内容】
【００２３】
この場合、請求項２、及び請求項９に記載の発明によれば、受信信号の増幅度を調整するための増幅度調整信号の信号レベルに基づいてアンテナの短絡周期を可変することができる。具体的には、増幅度調整信号は検波信号の信号レベルに基づいて生成されるので、例えば検波信号の信号レベルが大きい程混入されるノイズ信号が大きいとみなしてアンテナの短絡周期を短くし、信号レベルが小さい程短絡周期を短くするといったことが可能である。
【手続補正１９】
【補正対象書類名】明細書
【補正対象項目名】００２４
【補正方法】変更
【補正の内容】
【００２４】
請求項３、及び請求項１０に記載の発明によれば、検波信号の信号波形に基づいて受信信号へのノイズ信号の混入頻度を判定し、ノイズが混入されていると判定した場合、アンテナを所定時間の間短絡させて受信信号による蓄積エネルギーを放出させる電波受信装置、及び電波受信回路を実現できる。従って、ノイズ信号が混入された信号を受信した場合であっても、アンテナを短絡させることでノイズ信号による蓄積エネルギーが放出されるので、受信信号からノイズ信号を除去するとともに、このノイズ信号の蓄積エネルギーによって後々まで継続される影響の除去が可能となる。
【手続補正２０】
【補正対象書類名】明細書
【補正対象項目名】００２５
【補正方法】変更
【補正の内容】
【００２５】
この場合、請求項４、及び請求項１１に記載の発明によれば、受信信号へのノイズの混入頻度を判定し、この判定した混入頻度に応じた周期でアンテナを短絡させることができる。具体的には、例えばノイズ信号の混入頻度が大きい程、短い周期でアンテナを短絡させ、混入頻度が小さい程、長い周期で短絡させるといったことが可能である。
【手続補正２１】
【補正対象書類名】明細書
【補正対象項目名】００２６
【補正方法】変更
【補正の内容】
【００２６】
そして、請求項５、及び請求項１２に記載の発明によれば、受信信号の搬送波の半周期以上の時間であり、且つ変調信号の周期と比較して微小な時間の間、アンテナを短絡させることができる。従って、アンテナの同調周波数は受信信号の搬送波の周波数と等しいため、搬送波の半周期以上の時間の間アンテナを短絡させることで、信号ノイズによるアンテナの蓄積エネルギーをほぼ放出させることが可能となる。
【手続補正２２】
【補正対象書類名】明細書
【補正対象項目名】００６４
【補正方法】変更
【補正の内容】
【００６４】
＜作用・効果＞
以上のように、第２実施形態によれば、タイミング生成回路６２３ｂで生成されるノイズ除去制御信号Ｇ２に従ってスイッチ回路６１２ｂがＯＮ／ＯＦＦされる。ノイズ除去制御信号Ｇ２は、パルス幅Ｗが一定であり、タイミング制御信号ｔｂの信号レベルに応じたパルス間隔Ｔ１、Ｔ２、・・、を持つパルス信号である。即ち、受信アンテナ６１１ｂは、ノイズ除去信号Ｇ１のパルス間隔Ｔ１、Ｔ２、・・、に相当する時間間隔でパルス幅Ｗに相当する時間の間、周期的に短絡される。従って、受信アンテナ６１１ｂが短絡されることで蓄積エネルギーが放出されるので、受信信号からノイズ信号を除去するとともに、このノイズ信号の蓄積エネルギーに起因する影響の継続を除去することが可能となる。また、タイミング制御信号ｔｂは、利得制御用信号に基づく信号であるので、結果的に、検波信号の信号レベルに応じた時間間隔Ｔ１、Ｔ２、・・、で受信アンテナ６１１ｂを短絡することとなり、より効果的にノイズ信号及びその影響を除去することが可能となる。
【手続補正２３】
【補正対象書類名】明細書
【補正対象項目名】００７２
【補正方法】変更
【補正の内容】
【００７２】
＜作用・効果＞
以上、第２実施形態によれば、タイミング生成回路６２３ｃで生成されるノイズ除去制御信号Ｇ３に従ってスイッチ回路６１２ｃがＯＮ／ＯＦＦされる。ノイズ除去制御信号Ｇ３は、パルス幅Ｗが一定であり、タイミング制御信号ｔｃの信号レベルに応じたパルス間隔を持つパルス信号である。即ち、受信アンテナ６１１ｃは、ノイズ除去信号Ｇ３のパルス間隔に相当する時間間隔でパルス幅Ｗに相当する時間の間、周期的に短絡される。従って、受信アンテナ６１１ｃが短絡されることで蓄積エネルギーが放出されるので、受信信号からノイズ信号を除去するとともに、このノイズ信号の蓄積エネルギーに起因する影響の継続を除去することが可能となる。また、ノイズ除去信号Ｇ３は、検波信号の信号レベルと所定の基準レベルとの比較結果に基づく信号であるので、結果的に、ノイズ信号の混入頻度に応じた時間間隔で受信アンテナ６１１ｃを短絡することとなり、より効果的にノイズ信号及びその影響を除去することが可能となる。
【手続補正２４】
【補正対象書類名】明細書
【補正対象項目名】００７５
【補正方法】変更
【補正の内容】
【００７５】
（２）ストレート方式の電波受信装置
また、上述した実施形態では、スーパーヘテロダイン方式の電波受信装置６１（６１Ａ、６１Ｂ、６１Ｃ）を用いることとしたが、これを、図８に示すストレート方式の電波受信装置６１Ｄを用いることとしても良い。
【手続補正２５】
【補正対象書類名】明細書
【補正対象項目名】００７６
【補正方法】変更
【補正の内容】
【００７６】
図８は、第１、第２、及び第３実施形態に適用したストレート方式の電波受信装置６１Ｄの回路構成を示す図である。尚、同図において、上述した電波受信装置６１Ａ（図２参照）、６１Ｂ（図５参照）、６１Ｃ（図７参照）と同一要素については同じ番号の符合を付している。図８によれば、電波受信装置６１Ｄは、受信アンテナ６１１ｄと、スイッチ回路６１２ｄと、ＲＦ増幅回路６１３ｄと、フィルタ回路６１４ｄと、検波回路６２１ｄと、ＡＧＣ回路６２２ｄと、タイミング生成回路６２３ｄと、ＳＷ制御回路６２４ｄと、を備えて構成される。
この場合、検波回路６２１ｄには、フィルタ回路６１４ｄから出力された信号が入力され、ＡＧＣ回路６２２ｄは、ＲＦ増幅回路６１３ｄの増幅度を制御するＲＦ制御信号を生成する。
【手続補正２６】
【補正対象書類名】明細書
【補正対象項目名】００７８
【補正方法】変更
【補正の内容】
【００７８】
図９は、本発明を適用した中継器２の内部構成を示すブロック図である。尚、同図において、上述した電波時計１（図１参照）と同一要素については同符合を付している。図９によれば、中継器２は、ＣＰＵ１０と、入力部２０と、表示部３０と、ＲＡＭ５０と、ＲＯＭ４０と、受信制御部６０と、タイムコード生成部７０と、計時回路部８０と、発振回路部８１と、送信部９０と、を備えて構成される。
【手続補正２７】
【補正対象書類名】図面
【補正対象項目名】図８
【補正方法】変更
【補正の内容】
【図８】
2005223478.tif 000014